(57)【要約】【課題】本発明は、例えば、通信基地局の冷却装置に関するもので、停電時でも制御機器を効果的に冷却できるようにすることを目的とする。【解決手段】この目的を達成するために、本発明は、制御機器２を収納する本体ケース１と、この本体ケース１内において、制御機器２の外表面に当接させられる吸熱器４と、この吸熱器４に冷媒循環管路７、８を介して接続されるとともに、少なくともその一部が、本体ケース１の上部外に配置された放熱器９と、前記吸熱器４内に設けた冷媒とを備え、吸熱器４には、この吸熱器４を、制御機器２の外表面に押し付けた状態で固定する保持具６を設けた。【選択図】図１
2016066734.tif 000002
【特許請求の範囲】
【請求項１】
制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、
前記冷媒循環管路は前記放熱器にて凝縮された液体冷媒が通る液管路と、前記吸熱器にて蒸発された気体冷媒が通る気管路で構成され、
前記放熱器の直下に着脱が可能な液管接合部と気管接合部を有し、
前記液管接合部で液管を接続した後に前記気管接合部で気管を接続することができる接合補助部を有することを特徴とする冷却装置。
【請求項２】
吸熱器には、この吸熱器を、前記制御機器の外表面に押し付けた状態で固定する保持具を設けたことを特徴とする請求項１に記載の冷却装置。
【請求項３】
本体ケース内には、複数の吸熱器を設け、本体ケースの上部には複数の放熱器を設けた請求項１または２記載の冷却装置。
【請求項４】
保持具は、吸熱器を、前記制御機器の外表面に押し付けた状態で固定する帯状体により構成した請求項２または３記載の冷却装置。
【発明の詳細な説明】
【技術分野】
【０００１】
本発明は、例えば、通信基地局の冷却装置に関するものである。
【背景技術】
【０００２】
例えば、通信基地局は、制御機器を風雨から保護するために、この制御機器を本体ケース内に収納させている。
【０００３】
前記制御機器は、大きな電力を消費するものであるので、例えば、本体ケース内に送風ファンを設けたり、いわゆるエアコンといわれる空調装置（コンプレッサを有するもの）を設置したりしている（例えば、特許文献１参照）。
【先行技術文献】
【特許文献】
【０００４】
【特許文献１】特開２００２−２４２８７８号公報
【発明の概要】
【発明が解決しようとする課題】
【０００５】
上記送風ファンや、エアコンといわれる空調装置は、いずれも電力設備が必要で、停電時には稼動しない。
【０００６】
しかしながら、通信基地局における制御機器は、停電時でも予備電池で継続的に稼動できるようになっているので、停電時にこれを冷却することができないのは、大きな問題となる。
【０００７】
そこで、本発明は、停電時でも制御機器を効果的に冷却できるようにすることを目的とするものである。
【課題を解決するための手段】
【０００８】
そして、この目的を達成するために、本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設け、これにより所期の目的を達成するものである。
【発明の効果】
【０００９】
以上のように本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設けたものであるので、停電時でも制御機器を効果的に冷却できるようになる。
【００１０】
すなわち、本発明においては、前記制御機器の外表面に保持具によって吸熱器を押し付けた状態で固定しており、しかも、この吸熱器と、少なくともその一部が、前記本体ケースの上部外に配置された放熱器を、冷媒循環管路を介して接続している。
【００１１】
このため、制御機器の温度が上昇すると、吸熱器内の冷媒が気化し、それによって制御機器の温度上昇を抑制することができ、その結果として停電時でも制御機器を効果的に冷却できるようになるのである。
【図面の簡単な説明】
【００１２】
【図１】本発明の実施の形態１にかかる冷却装置の透視斜視図
【図２】同透視側面図
【図３】同透視正面図
【図４】（ａ）同放熱器と冷媒循環管路を接続する前の状態を示す接合部拡大図、（ｂ）同放熱器と冷媒循環管路を接続した後の状態を示す接合部拡大図
【図５】本発明の実施の形態２にかかる冷却装置の透視斜視図
【図６】同透視背面図
【図７】同透視上面図
【発明を実施するための形態】
【００１３】
以下、本発明の一実施形態を説明する。
【００１４】
（実施の形態１）
図１〜図３において、箱状の本体ケース１は、通信基地局の制御機器２を風雨から保持するために、この制御機器２を収納し、前面側にはドア３が設けられている。また、本体ケース１の上には、放熱器９を保護し、放熱を促進させるように通風させる開口を設けた屋根を設けているが、ここでは詳細な説明は省略する。
【００１５】
この本体ケース１内には、前記制御機器２の外表面に当接させられる吸熱器４が設けられている。
【００１６】
この吸熱器４は図１〜図３に示すように、制御機器２の外表面に当接させられ、具体的には、制御機器２の上面５に載せられ、この状態で、帯状体よりなる保持具６によって固定されている。
【００１７】
また、吸熱器４には、例えばゴムなどの可撓性材料よりなる冷媒循環管路７、８を介して放熱器９が接続されている。
【００１８】
なお、この吸熱器４内には、例えばフロン系の液状冷媒が入れられている。
【００１９】
さらに、前記放熱器９は、本体ケース１の上部、具体的には天面１０に固定されており、しかも、その一部が天面１０を貫通して本体ケース１外に突出させられた状態となっている。
【００２０】
以上の構成において、本体ケース１は、一辺が、例えば３０センチ程度の大きさとなっているので、電柱などにも取り付けることができ、これを沢山設置することで、通信エリアを広く、細かく管理することができるようになる。
【００２１】
そして、制御機器２の稼動状態において、制御機器２は温度上昇することになるのであるが、本実施形態では、制御機器２の外表面に吸熱器４が保持具６によって押し付けられた状態で、固定されているので、吸熱器４内の冷媒が気化することで、制御機器２の温度上昇を抑制することができる。
【００２２】
また、気化後の冷媒は、冷媒循環管路７を介して上昇し、続いて放熱器９において本体ケース１外の空気で冷却されて液化し、その後、冷媒循環管路８を介して吸熱器４へと循環する。
【００２３】
つまり、本実施形態の冷却は、電力消費を伴わないものであるので、停電時にも、予備バッテリー（図示せず）によって駆動を続ける制御機器２を冷却することができる。
【００２４】
ここで、本実施形態の冷却装置は通常本体ケース１へ取り付ける際、放熱器９、冷媒循環管路７、８、吸熱器４が一体構造だと取り付けが難しく、現地での交換もできないため、分割できる構造が要望されることが多い。
【００２５】
ただし冷却装置内部は冷媒が充満された状態で運転される必要があり、放熱器９と冷媒循環管路７、８を接続する際に冷媒が漏れる、または空気が入る量は最小限に抑えなければならない。
【００２６】
以下で本願の特徴である、冷媒循環管路７、８と放熱器９との接続方法について、図４を用いて説明する。
【００２７】
図４に示すように、冷媒循環管路７が気管路、冷媒循環管路８が液管路であり、気管路である冷媒循環管路７は放熱器９内、液面の上方まで突出させている。
【００２８】
液管接合部１２は液管接合上部材１２ａと液管接合下部材１２ｂ、気管接合部１３は気管接合上部材１３ａと気管接合下部材１３ｂで構成され、各下部材の外径は各上部材の外径より大きくなっている。
【００２９】
図４（ａ）は冷媒循環管路７、８と放熱器９を接続する前の状態を示す。液管接合上部材１２ａ、気管接合上部材１３ａには接合補助部材１４を設け、液管接合上部材１２ａ側には突起１５を、液管接合上部材１２ａの下端より下方に突出するように設けている。
【００３０】
接合補助部材１４と放熱器９の間には弾性部材１６、接合補助部材１４の液管接合上部材１２ａ側には支持部材１７、放熱器９に取付けた固定板１８と支持部材１７の間に弾性部材１９を設けている。ここで弾性部材１６および弾性部材１９として例えばバネで図示しているが、所定の弾性があれば、ゴムも使用可能である。
【００３１】
接合補助部材１４、突起１５、弾性部材１６、支持部材１７、固定板１８、弾性部材１９で接合補助部２０を構成している。
【００３２】
支持部材１７には、接続時に液管接合下部材１２ｂが接触する下突起１７ａと、接合補助部材１４を固定する上突起１７ｂが設けられている。
【００３３】
上記構成において、図４（ａ）に示す冷媒循環管路７、８と放熱器９とを接続する前の状態では、接合補助部材１４の気管接合部１３側の下端は、気管接合上部材１３ａの下端より下方に突出している。そのため気管接合下部材１３ｂは接合補助部材１４に邪魔されて気管接合上部材１３ａと接合できないようになっている。
【００３４】
すなわち、気管接合下部材１３ｂで接合補助部材１４を押し上げようとしても、接合補助部材１４は、支持部材１７の接合補助部材１４を固定する上突起１７ｂにより固定されており動かない。
【００３５】
そこで、先に液管接合下部材１２ｂと液管接合上部材１２ａを接合しようとする。この場合には、液管接合下部材１２ｂが支持部材１７の下突起１７ａの傾斜部と接触し、その傾斜に沿って押し上げるため、弾性部材１９を伸縮させ、支持部材１７が図の左方に移動するため、図４（ｂ）に示すように、上突起１７ｂが接合補助部材１４から外れる。外れると同時に液管接合下部材１２ｂが突起１５と接触し、接合補助部材１４を押し上げる。
【００３６】
これにより、先に液管接合下部材１２ｂと液管接合上部材１２ａを接合後に、気管接合下部材１３ｂと気管接合上部材１３ａを接合できるようになる。
【００３７】
以上のように、先に液管を接合した後、気管を接合することにより、冷媒循環管路７、８を接続する際にわずかに隙間が発生するが、管径が小さい液管路の方が気管路よりも隙間は少なくなるため、最も内部圧力と外気圧力の差が大きくなる最初の管路接合は液管路から行う方が冷媒漏れ量もしくは空気の侵入量を抑制することができる。
【００３８】
なお、本実施形態では、制御機器２の外表面に吸熱器４が帯状体の保持具６によって押し付けられた状態で固定したが、保持具６はネジ止めでもよい。
【００３９】
（実施の形態２）
図５〜図７は本発明の実施の形態２を示し、この例では、本体ケース１内には、複数の吸熱器４を設けものである。
【００４０】
なお、実施の形態１と同じものには、同じ番号を付し、詳細な説明は省略する。
【００４１】
本実施形態の本体ケース１は、例えば高さが１メートルもあるものであるので、都市部におけるビルのベランダや屋上に接されるものであり、ラック１１を用いて複数の制御機器２が縦方向に所定間隔を置いて配置されている。
【００４２】
このため、各制御機器２の外表面に吸熱器４が保持具６によって押し付けられた状態で、固定されている。
【００４３】
また、本体ケース１の天面１０にも、複数の放熱器９が設置され、これら複数の放熱器９と吸熱器４は冷媒循環管路７、８を介して接続されている。
【００４４】
このため、各制御機器２が温度上昇した場合でも、各制御機器２の外表面に、それぞれ吸熱器４が保持具６によって押し付けられた状態で、固定されているので、各吸熱器４内の冷媒が気化することで、制御機器２の温度上昇を抑制することができる。
【００４５】
また、気化後の冷媒は、冷媒循環管路７を介して上昇し、続いて放熱器９において本体ケース１外の空気で冷却されて液化し、その後、冷媒循環管路８を介して吸熱器４へと循環する。
【００４６】
つまり、本実施形態の冷却は、電力消費を伴わないものであるので、停電時にも、予備バッテリー（図示せず）によって駆動を続ける各制御機器２を冷却することができる。
【００４７】
なお、この（実施の形態２）において、例えば、制御機器２が３個しか設置されなかった場合には、不使用の吸熱器４は保持具６によって、本体ケース１内の保持部（図示せず）に保持させた状態で管理する。
【００４８】
つまり、各制御機器２の外表面に、それぞれ吸熱器４を保持具６によって押し付けられた状態で固定するようにしたものでは、本体ケース１内で、吸熱器４を制御機器２に取り付けたり、未使用の吸熱器４を保持部に保管したりすることが、現場において容易に行うことができる。
【産業上の利用可能性】
【００４９】
以上のように本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設けたものであるので、停電時でも制御機器を効果的に冷却できるようになる。
【００５０】
すなわち、本発明においては、前記制御機器の外表面に保持具によって吸熱器を押し付けた状態で固定しており、しかも、この吸熱器と、少なくともその一部が、前記本体ケースの上部外に配置された放熱器を、冷媒循環管路を介して接続している。
【００５１】
このため、制御機器の温度が上昇すると、吸熱器内の冷媒が気化し、それによって制御機器の温度上昇を抑制することができ、その結果として停電時でも制御機器を効果的に冷却できるようになるのである。
【００５２】
したがって、基地局などの冷却装置としての活用が期待される。
【符号の説明】
【００５３】
１  本体ケース
２  制御機器
３  ドア
４  吸熱器
５  上面
６  保持具
７  冷媒循環管路
８  冷媒循環管路
９  放熱器
１０  天面
１１  ラック
１２  液管接合部
１２ａ  液管接合上部材
１２ｂ  液管接合下部材
１３  気管接合部
１３ａ  気管接合上部材
１３ｂ  気管接合下部材
１４  接合補助部材
１５  突起
１６、１９  弾性部材
１７  支持部材
１７ａ  下突起
１７ｂ  上突起
１８  固定板
２０  接合補助部
【図１】
2016066734.tif 000003
【図２】
2016066734.tif 000004
【図３】
2016066734.tif 000005
【図４】
2016066734.tif 000006
【図５】
2016066734.tif 000007
【図６】
2016066734.tif 000008
【図７】
2016066734.tif 000009